Podtech/llm-jp-corpus-v4-ja_patent huggingface dataset:
【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
トリプテリジウム（Ｔｒｉｐｔｅｒｙｇｉｕｍ）種の細胞培養物から培地中でトリプトリドを生産する方法であって、
（ｉ）  バイオマス成長条件下にて栄養培地におけるカルスから誘導されるトリプテリジウム種の脱分化細胞のバイオマスの生産期、
（ｉｉ）  オーキシンを実質的に含まない除去培地において段階（ｉ）で得られた細胞培養物のホルモン除去期、
（ｉｉｉ）  除去培地で段階（ｉｉ）の細胞に誘発カクテル（ｅｌｉｃｉｔａｔｉｏｎ  ｃｏｃｋｔａｉｌ）の添加による誘発期、
（ｉｖ）  段階（ｉｉｉ）の終了時における培地からのトリプトリド冨化抽出物の調製
段階を含んでなる、方法。
【請求項２】
誘発カクテルが、
ａ）  植物細胞の少なくとも１種類の細胞分化因子、
ｂ）  少なくとも１種類のストレッシング剤（ｓｔｒｅｓｓｉｎｇ  ａｇｅｎｔ）、および
ｃ）  少なくとも１種類のテルペン合成経路の前駆体、
を含んでなる、請求項１に記載の方法。
【請求項３】
植物細胞の細胞分化因子がサイトカインから選択される、請求項２に記載の方法。
【請求項４】
ストレッシング剤が非生物的誘発剤である、請求項２または３に記載の方法。
【請求項５】
非生物的誘発剤が、５−クロロサリチル酸、アセチルサリチル酸またはサリチル酸、およびジャスモン酸メチルを含んでなる、請求項４に記載の方法。
【請求項６】
テルペン合成経路の前駆体が、ファルネソール、ゲラニオール、酢酸エチル、ピルビン酸またはメバロン酸を含んでなる群から選択される、請求項２〜５のいずれか一項に記載の方法。
【請求項７】
除去培地が、オーキシンを含まない、請求項１〜６のいずれか一項に記載の方法。
【請求項８】
除去培地が、２，４−ジクロロフェノキシ酢酸（２，４−Ｄ）またはナフタレン酢酸（ＮＡＡ）を含まない、請求項１〜６のいずれか一項に記載の方法。
【請求項９】
ホルモン除去段階（ｉｉ）が、５〜１５日間継続する、請求項１〜８のいずれか一項に記載の方法。
【請求項１０】
ホルモン除去段階（ｉｉ）が、７日間継続する、請求項９に記載の方法。
【請求項１１】
誘発期（ｉｉｉ）が、１５〜３５日間継続する、請求項１〜１０のいずれか一項に記載の方法。
【請求項１２】
誘発期（ｉｉｉ）が、２０〜２５日間継続する、請求項１１に記載の方法。
【請求項１３】
バイオマス産生期（ｉ）が２７〜２８℃にて１０〜３０日間撹拌しながら進行する、請求項１〜１２のいずれか一項に記載のトリプトリド産生の方法。
【請求項１４】
誘発カクテルが、ベンジルアミノプリン、５−クロロサリチル酸、アセチルサリチル酸またはサリチル酸、ジャスモン酸メチル、ファルネソールおよびゲラニオールを含む、請求項１〜１３のいずれか一項に記載のトリプトリド産生の方法。
【請求項１５】
段階（ｉｉｉ）の後の培養物上清のトリプトリド濃度が培地１Ｌ当たり５０ｍｇを上回る、請求項１〜１４のいずれか一項に記載のトリプトリド産生の方法。
【請求項１６】
段階（ｉｖ）が液／液抽出である、請求項１〜１５のいずれか一項に記載のトリプトリド産生の方法。
【請求項１７】
トリプテリジウム種の細胞培養のための誘発カクテルの使用であって、誘発カクテルが
ａ）  植物細胞の少なくとも１種類の細胞分化因子、
ｂ）  少なくとも１種類のストレッシング剤、および
ｃ）  少なくとも１種類のテルペン合成経路の前駆体
を含んでなる、使用。
【請求項１８】
前記誘発カクテルが、ベンジルアミノプリン（ＢＡＰ）０．７〜３ｍｇ／ｌ、５−クロロサリチル酸（５−クロロＳＡ）３〜５ｍｇ／ｌ、アセチルサリチル酸（ＡＳＡ）３３〜４５ｍｇ／ｌ、ジャスモン酸メチル（ＭｅＪＡ）２２．４〜２４ｍｇ／ｌ、ゲラニオール２０〜３０ｍｇ／ｌおよびファルネソール（Ｆ−ＯＨ）１９〜３０ｍｇ／ｌを含んでなり、ｍｇ／ｌは、培地１Ｌ当たりのｍｇを表す、請求項１７に記載の使用。
【請求項１９】
トリプテリジウム種の脱分化細胞のイン・ビトロ培養物を培地から抽出することによって得られるトリプトリド冨化抽出物。
【請求項２０】
請求項１〜１６のいずれか一項に記載の方法によって得られる、請求項１９に記載のトリプトリド冨化抽出物。
【請求項２１】
薬剤として使用するための、請求項１９または２０に記載のトリプトリド冨化抽出物。
【請求項２２】
皮膚の炎症性疾患の治療に使用するための、請求項１９または２０に記載のトリプトリド冨化抽出物。
【請求項２３】
炎症性疾患が、掻痒症、湿疹、アトピー性皮膚炎または乾癬である、請求項２２に記載のトリプトリド冨化抽出物。
【請求項２４】
活性成分としてのトリプトリドまたはトリプトリド冨化抽出物と、１種類以上の皮膚美容上および／または皮膚科学上許容可能な賦形剤とを含んでなる、皮膚美容または皮膚科学組成物。
【請求項２５】
皮膚の炎症性疾患の治療に使用するための、請求項２４に記載の皮膚科学組成物。
【請求項２６】
炎症性疾患が、掻痒症、湿疹、アトピー性皮膚炎または乾癬である、請求項２５に記載の皮膚科学組成物。
【請求項２７】
トリプトリド冨化抽出物の皮膚美容上の使用。
【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
下記式（Ｉ）の化合物またはその塩：
【化１】
2013510123.tif 000001
［式中、
Ｒ１は、Ｃ１−３アルキルであり、
Ｒ２は、−ＮＲ２ａＲ２’ａまたは−ＯＲ２ｂであり、
（ここで、Ｒ２ａまたはＲ２’ａのうちの１つは水素であり、Ｒ２ｂおよびＲ２ａもしくはＲ２’ａのうちの他方は、Ｃ１−６アルキル、ハロＣ１−６アルキル、Ｒ２ｃＲ２’ｃＮ−Ｃ１−６アルキル、カルボシクリル、カルボシクリルＣ１−４アルキル、ヘテロシクリルおよびヘテロシクリルＣ１−４アルキルから選択され、
ここで、カルボシクリルまたはヘテロシクリル基のいずれも、ハロゲン、Ｃ１−６アルキル、ハロＣ１−６アルキル、Ｃ１−６アルコキシ、ハロＣ１−６アルコキシ、カルボニル、−ＣＯ−カルボシクリル、アジド、アミノ、ヒドロキシル、ニトロおよびシアノから選択される１つ以上の基で置換されてもよく、ここで、−ＣＯ−カルボシクリル基は、ハロゲン、Ｃ１−６アルキル、ハロＣ１−６アルキル、Ｃ１−６アルコキシ、ハロＣ１−６アルコキシ、アジド、ニトロおよびシアノから選択される１つ以上の基により置換されてもよく、
または相互連結原子と一緒に、カルボシクリルもしくはヘテロシクリル基のいずれか上の２つの隣接する基は、環が、Ｏ、ＳおよびＮから独立して選択される１つもしくは２つのヘテロ原子を含んでもよい５員もしくは６員環を形成し、またはＲ２ａおよびＲ２’ａが結合するＮ原子と一緒に、Ｒ２ａおよびＲ２’ａは、Ｏ、ＳおよびＮから独立して選択される１つもしくは２つのヘテロ原子を含んでもよい４員、５員、６員もしくは７員環を形成し、ここで、４員、５員、６員もしくは７員環は、Ｃ１−６アルキル、ヒドロキシルもしくはアミノにより置換されてもよく、
Ｒ２ｃおよびＲ２’ｃは独立して水素もしくはＣ１−６アルキルである）
各Ｒ３は、水素、ヒドロキシル、ハロ、Ｃ１−６アルキル、ハロＣ１−６アルキル、Ｃ１−６アルコキシ、ハロＣ１−６アルコキシ、ニトロ、シアノ、ＣＦ３、−ＯＣＦ３、−ＣＯＯＲ５、−Ｃ１−４アルキルＮＲ６Ｒ７および−Ｃ１−４アルキルＯＨから独立して選択され、
Ｒ４は、ヒドロキシル、ハロ、Ｃ１−６アルキル、ハロＣ１−６アルキル、Ｃ１−６アルコキシ、ハロＣ１−６アルコキシ、ニトロ、シアノ、ＣＦ３、−ＯＣＦ３、−ＣＯＯＲ５、または−ＯＳ（Ｏ）２Ｃ１−４アルキルであり、
Ｒ５は、Ｃ１−３アルキルであり、
ｎは、１〜５の整数である］。
【請求項２】
Ｒ２が−ＯＲ２ｂであり、Ｒ２ｂがＣ１−６アルキルである、請求項１に記載の化合物またはその塩。
【請求項３】
Ｒ２が−ＮＲ２ａＲ２’ａである、請求項１に記載の化合物またはその塩。
【請求項４】
Ｒ２ａが水素であり、Ｒ２’ａがＣ１−６アルキルである、請求項３に記載の化合物またはその塩。
【請求項５】
Ｒ２ａが水素であり、Ｒ２’ａが、Ｒ２ＣＲ２’ＣＮ−ＣＨ２−、Ｒ２ＣＲ２’ＣＮ−ＣＨ２ＣＨ２−、Ｒ２ＣＲ２’ＣＮ−ＣＨ２ＣＨ２ＣＨ２−およびＲ２ＣＲ２’ＣＮ−ＣＨ２ＣＨ２ＣＨ２ＣＨ２−から選択され、Ｒ２ＣおよびＲ２’Ｃが水素およびメチルから選択される、請求項３に記載の化合物またはその塩。
【請求項６】
Ｒ２ａが水素であり、Ｒ２’ａが
【化２】
2013510123.tif 000002
から選択される、請求項３に記載の化合物またはその塩。
【請求項７】
Ｒ２ａが水素であり、Ｒ２’ａがヘテロシクリル−ＣＨ２−、ヘテロシクリル−ＣＨ２ＣＨ２−、ヘテロシクリル−ＣＨ２ＣＨ２ＣＨ２−およびヘテロシクリル−ＣＨ２ＣＨ２ＣＨ２ＣＨ２−から選択され、ここで、ヘテロシクリルが、
【化３】
2013510123.tif 000003
から選択される、請求項３に記載の化合物またはその塩。
【請求項８】
Ｒ４が８−ＭｅＯである、請求項１〜７のいずれか一項に記載の化合物またはその塩。
【請求項９】
Ｓ鏡像異性体である、請求項１〜８のいずれか一項に記載の化合物またはその塩。
【請求項１０】
実施例１〜８２のいずれか１つである化合物またはその塩。
【請求項１１】
請求項１〜１０のいずれか一項に記載の化合物、またはその医薬的に許容可能な塩。
【請求項１２】
請求項１１に記載の式（Ｉ）の化合物またはその医薬的に許容可能な塩と、１種以上の医薬的に許容可能な担体、希釈剤または賦形剤とを含む、医薬組成物。
【請求項１３】
治療に使用するための、請求項１１に記載の式（Ｉ）の化合物またはその医薬的に許容可能な塩。
【請求項１４】
慢性自己免疫および／または炎症状態の治療に使用するための請求項１１に記載の化合物またはその医薬的に許容可能な塩。
【請求項１５】
癌の治療に使用するための請求項１１に記載の化合物またはその医薬的に許容可能な塩。
【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
式（Ｉ）の化合物またはその塩
【化１】
2013510125.tif 000001
（式中、
Ａは、結合またはＣ１−４アルキルを表し、
Ｘは、
ｉ）６〜１０員芳香族基、または
ｉｉ）Ｏ、ＮおよびＳからなる群から選択される１つ、２つもしくは３つのヘテロ原子を含む５〜１０員複素芳香族
を表し、
Ｒ１は、
ｉ）独立に、ハロゲン、シアノ、Ｃ１−６アルキル、Ｃ１−６ハロアルキル、Ｃ１−６アルコキシ、ＳＯ２Ｃ１−６アルキルおよび−ＣＯＲ７から選択される１つまたは２つの置換基により置換されていてもよいフェニル、
ｉｉ）独立に、ハロゲン、シアノ、Ｃ１−６アルキル、Ｃ１−６ハロアルキル、Ｃ１−６アルコキシおよび−ＣＯＲ７から選択される１つまたは２つの置換基により置換されていてもよい、Ｏ、ＮおよびＳからなる群から選択される１つ、２つもしくは３つのヘテロ原子を含む５〜１０員複素芳香族、または
ｉｉｉ）シクロヘキシル
を表し、
Ｒ２は、Ｃ１−６アルキルを表し、
Ｒ３は、Ｃ１−６アルキルを表し、
Ｒ４は、
ｉ）Ｈ、ハロゲン、シアノ、Ｃ１−６アルキル、Ｃ１−６ハロアルキル、Ｃ１−６アルコキシ、Ｃ０−６ヒドロキシアルキル、ＳＯ２Ｃ１−６アルキル、−Ｃ（Ｏ）ＮＲ８Ｒ９、Ｃ（Ｏ）Ｒ１０、−Ｃ０−６アルキル−ＮＲ１１Ｒ１２、または
ｉｉ）各々が、独立に、Ｎ、ＯおよびＳからなる群から選択される１つ、２つ、３つもしくは４つのヘテロ原子を含む５もしくは６員ヘテロシクリルまたは複素芳香族によって置換された−ＯｍＣ０−６アルキルであって、前記ヘテロシクリルまたは複素芳香族は、独立に、ハロゲン、シアノ、Ｃ１−６アルキル、Ｃ１−６ハロアルキルおよびＣ１−６アルコキシから選択される１つ、２つ、もしくは３つの基により置換されていてもよく、
前記ヘテロシクリルまたは複素芳香族がヘテロ原子を通して結合され、ｍが１である場合、得られる配置が不安定であるならば、前記ヘテロ原子およびＯは直接結合していない、−ＯｍＣ０−６アルキル、
を表し、
Ｒ４ａは、Ｈ、ハロゲン、Ｃ１−６アルキル、Ｃ１−６ハロアルキル、Ｃ１−６アルコキシまたはＣ０−６ヒドロキシアルキルを表し、
Ｒ５は、Ｈ、ハロゲン、−Ｃ１−６アルキルまたは−Ｃ１−６アルコキシを表し、
Ｒ６は、Ｈ、−Ｃ１−６アルキル、−Ｃ０−６アルキルシアノ、−Ｃ０−６アルキルＣ１−６アルコキシまたはＣ０−２アルキルＣＯＲ７を表し、
Ｒ７は、ヒドロキシル、Ｃ１−６アルコキシ、−ＮＨ２、−ＮＨＣ１−６アルキルまたはＮ（Ｃ１−６アルキル）２を表し、
Ｒ８およびＲ９は、独立に、
ｉ）Ｈ、Ｃ１−６アルキル、−Ｃ０−６アルキルフェニル、−Ｃ０−６アルキル複素芳香族、Ｃ３−６シクロアルキルを表すか、または
ｉｉ）Ｒ８およびＲ９は、それらが結合するＮと一緒に５もしくは６員ヘテロシクリルまたは複素芳香族を形成し、ここで前記ヘテロシクリルまたは複素芳香族は、独立にＯ、ＮおよびＳから選択される１つ、２つもしくは３つのさらなるヘテロ原子を含んでもよく、
Ｒ１０は、ヒドロキシル、Ｃ１−６アルコキシ、またはＯ、ＮおよびＳから選択される１つ、２つ、３つもしくは４つのヘテロ原子を含む５もしくは６員ヘテロシクリルまたは複素芳香族を表し、
Ｒ１１およびＲ１２は、独立に、
（ｉ）Ｈ、Ｃ１−６アルキルを表すか、または
（ｉｉ）Ｒ１１およびＲ１２は、それらが結合するＮと一緒に５もしくは６員ヘテロシクリルまたは複素芳香族を形成し、ここで前記ヘテロシクリルまたは複素芳香族は、独立にＯ、ＮおよびＳから選択される１つ、２つもしくは３つのさらなるヘテロ原子を含んでもよく、
ｍは、０または１を表す）。
【請求項２】
Ｒ１が、フルオロ、クロロ、シアノ、−ＣＦ３、メチル−ＣＯＲ７、または−ＳＯ２ＣＨ３により置換されてもよいフェニルを表す、請求項１に記載の化合物またはその塩。
【請求項３】
Ｒ１が、フルオロ、クロロ、メチルまたは−ＣＦ３により置換されてもよいピリジニル、ピラジニルもしくはピリミジニルを表す、請求項１または請求項２に記載の化合物またはその塩。
【請求項４】
Ｒ１が、非置換ピラジニルまたはピリミジニルを表し、またはＲ１が、以下：
【化２】
2013510125.tif 000002
から選択される置換されてもよいピリジニルを表す、請求項３に記載の化合物またはその塩。
【請求項５】
Ｘが、フェニルであり、またはＸが、ピリジニル、イミダゾリル、ピラゾリルおよびトリアゾリルから選択される、請求項１〜４のいずれか一項に記載の化合物またはその塩。
【請求項６】
Ｒ４が、メチル、−Ｃ（Ｏ）Ｒ１０、−Ｃ（Ｏ）ＮＲ８Ｒ９、−Ｃ０−６アルキル−ＮＲ１１Ｒ１２および−Ｃ０−６ヒドロキシアルキルから選択される、請求項１〜５のいずれか一項に記載の化合物またはその塩。
【請求項７】
Ｒ２が、メチルを表す、請求項１〜６のいずれか一項に記載の化合物またはその塩。
【請求項８】
Ｒ３が、メチルを表す、請求項１〜７のいずれか一項に記載の化合物またはその塩。
【請求項９】
前記式（Ｉ）の化合物またはその塩が、（２Ｓ，４Ｒ）鏡像異性体である、請求項１〜８のいずれか一項に記載の化合物またはその塩。
【請求項１０】
実施例１〜１９１のいずれか一つの化合物またはその塩。
【請求項１１】
４−（２Ｓ，４Ｒ）−｛−１−アセチル−４−［（４−クロロフェニル）アミノ］−２−メチル−１，２，３，４−テトラヒドロ−６−キノリニル｝安息香酸である化合物
【化３】
2013510125.tif 000003
またはその塩。
【請求項１２】
請求項１〜１１のいずれか一項に記載の化合物、またはその薬学上許容可能な塩。
【請求項１３】
請求項１２に記載の式（Ｉ）の化合物またはその薬学上許容可能な塩と、１種以上の薬学上許容可能な担体、希釈剤または賦形剤とを含む、医薬組成物。
【請求項１４】
療法に使用するための、請求項１２に記載の式（Ｉ）の化合物またはその薬学上許容可能な塩。
【請求項１５】
慢性の自己免疫および／または炎症性病態の治療に使用するための、請求項１２に記載の式（Ｉ）の化合物またはその薬学上許容可能な塩。
【請求項１６】
癌の治療に使用するための、請求項１２に記載の式（Ｉ）の化合物またはその薬学上許容可能な塩。
【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
式（Ｉ）の化合物
Ｒf［Ｃ（Ｘ1Ｘ2）Ｃ（Ｙ1Ｙ2）］nＩ  （Ｉ）
（式中、
Ｘ1、Ｘ2、Ｙ1、および、Ｙ2の各々は、独立して、フッ素、水素、フルオロアルキル、または、フルオロアルコキシであり；
ｎは１、２、または、３であり；ならびに
Ｒfは、カテナリー酸素もしくはカテナリー硫黄で任意により中断されている過フッ素化もしくは部分フッ素化炭素鎖である）
の調製方法であって、最高で１５０℃の温度で、ヨウ化フルオロアルキルＲfＩ（式中、Ｒfは上記に定義されているとおりである）と、オレフィン（前記オレフィンは
１）最低で０．０１モル／時間の初期速度で接触された部分フッ素化オレフィン、または
２）最低で０．０４モル／時間の初期速度で接触された、テトラフルオロエチレン、ヘキサフルオロプロピレン、および、過フッ素化ビニルエーテルからなる群から選択される完全フッ素化オレフィン
である）
とを、触媒[前記触媒は
ｉ）Ｎｉ（Ｚ）m（式中、各Ｚは、独立してＰＲ3であり；ｍは２〜４であり；Ｒは、フェニル、アルキル置換フェニル、または、ＣrＨ2r+1であり；および、ｒは１〜１０である）；または
ｉｉ）ＮｉとＺとの混合物（Ｚは上記に定義されているとおりである）
である]
の存在下で接触させて、式（Ｉ）の化合物を、ｎが１であるものに対して、前記部分フッ素化オレフィンを用いて少なくとも６５％の選択性、または、前記完全フッ素化オレフィンを用いて少なくとも４５％の選択性を伴って得るステップを含む方法。
【手続補正２】
【補正対象書類名】明細書
【補正対象項目名】００４０
【補正方法】変更
【補正の内容】
【００４０】
表２中の上記の結果は、実施例６および７中のＮｉ誘導体触媒を用いる本発明の方法が、反応をより高い温度で触媒を伴わずに実施した比較例３Ａからの結果と比して、より低い温度でのテトラフルオロエチレン挿入反応において匹敵する転化率および選択性をもたらしたことを示している。実施例６および７は、反応を同一の温度で触媒を伴わずに実施した比較例３Ｂからの結果より良好な転化率および選択性を示した。実施例６および７は、比較例３Ｃにおける従来技術の触媒（ＰＰｈ3）2Ｎｉ（ＣＯ）2と比して、良好な速度、転化率、および、選択性を示した。しかしながら、既述のとおりこの従来技術の触媒は誘導性であると共に、分解することにより反応条件下における劣った安定性を示した。
なお、本発明は、特許請求の範囲を含め、以下の発明を包含する。
１．式（Ｉ）の化合物
Ｒf［Ｃ（Ｘ1Ｘ2）Ｃ（Ｙ1Ｙ2）］nＩ  （Ｉ）
（式中、
Ｘ1、Ｘ2、Ｙ1、および、Ｙ2の各々は、独立して、フッ素、水素、フルオロアルキル、または、フルオロアルコキシであり；
ｎは１、２、または、３であり；ならびに
Ｒfは、カテナリー酸素もしくはカテナリー硫黄で任意により中断されている過フッ素化もしくは部分フッ素化炭素鎖である）
の調製方法であって、最高で１５０℃の温度で、ヨウ化フルオロアルキルＲfＩ（式中、Ｒfは上記に定義されているとおりである）と、オレフィン（前記オレフィンは
１）最低で０．０１モル／時間の初期速度で接触された部分フッ素化オレフィン、または
２）最低で０．０４モル／時間の初期速度で接触された、テトラフルオロエチレン、ヘキサフルオロプロピレン、および、過フッ素化ビニルエーテルからなる群から選択される完全フッ素化オレフィン
である）
とを、触媒[前記触媒は
ｉ）Ｎｉ（Ｚ）m（式中、各Ｚは、独立してＰＲ3であり；ｍは２〜４であり；Ｒは、フェニル、アルキル置換フェニル、または、ＣrＨ2r+1であり；および、ｒは１〜１０である）；または
ｉｉ）ＮｉとＺとの混合物（Ｚは上記に定義されているとおりである）
である]
の存在下で接触させて、式（Ｉ）の化合物を、ｎが１であるものに対して、前記部分フッ素化オレフィンを用いて少なくとも６５％の選択性、または、前記完全フッ素化オレフィンを用いて少なくとも４５％の選択性を伴って得るステップを含む方法。
２．Ｒfが、１〜６個の連続するフッ素化炭素を含有する、１に記載の方法。
３．Ｙ1およびＹ2の各々がフッ素である、１に記載の方法。
４．前記触媒が、ニッケルおよびトリフェニルホスフィンの混合物、または、ニッケルおよびトリブチルホスフィンの混合物である、１に記載の方法。
５．前記部分フッ素化オレフィンが、トリフルオロメチルプロペン、フッ化ビニル、フッ素化ビニルエーテル、または、フッ化ビニリデンである、１に記載の方法。
６．前記温度が約６０℃〜１５０℃である、１に記載の方法。
７．ヨウ化フルオロアルキル対オレフィンの比が１：２〜約２：１である、１に記載の方法。
８．前記初期速度が、前記部分フッ素化オレフィンを用いる場合には最低で０．０２モル／時間であり、または、前記完全フッ素化オレフィンを用いる場合には０．０６モル／時間である、１に記載の方法。
９．ｎが１であるものに対する前記選択性が、前記部分フッ素化オレフィンを用いる場合に最低で約７５％であり、および、前記完全フッ素化オレフィンを用いる場合に最低で約５０％である、１に記載の方法。
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
式（Ｉ）の化合物又はその塩
【化１】
2013510120.tif 000001
（式中、
Ｒ１は、Ｃ１−６アルキル、Ｃ３−７シクロアルキル又はベンジルであり、
Ｒ２は、Ｃ１−４アルキルであり、
Ｒ３は、Ｃ１−４アルキルであり、
Ｒ４は、（ｉ）ハロゲン、
（ｉｉ）ヒドロキシ、又は
（ｉｉｉ）式（ｉｉｉ）の基であり、
【化２】
2013510120.tif 000002
（式中、
Ｘは、アリール又はヘテロアリールであり、
Ｒ４ａは、水素、Ｃ１−４アルキル、又は基Ｌ−Ｙであり、式中、Ｌは単結合又はＣ１−６アルキレン基であり、Ｙは、ＯＨ、ＯＭｅ、ＣＯ２Ｈ、ＣＯ２Ｃ１−６アルキル、ＣＮ又はＮＲ７Ｒ８であり、
Ｒ７及びＲ８は、独立して水素、ヘテロシクリル環、ヒドロキシにより置換されてもよいＣ１−６アルキル、又はヘテロシクリル環であるか、あるいは
Ｒ７及びＲ８は共に結合して、Ｃ１−６アルキル、ＣＯ２Ｃ１−６アルキル、ＮＨ２、又はオキソにより置換されてもよいヘテロシクリル環を形成し、
Ｒ４ｂ及びＲ４ｃは、独立して水素、ハロゲン、Ｃ１−６アルキル又はＣ１−６アルコキシである）
Ｒ５は、水素、ハロゲン、Ｃ１−６アルキル又はＣ１−６アルコキシであり、
Ｒ６は、水素又はＣ１−４アルキルである）。
【請求項２】
式（Ｉａ）の化合物
【化３】
2013510120.tif 000003
（式中、
Ｒ１、Ｒ２、Ｒ３、Ｒ４ａ−４ｃ、及びＸは、式（Ｉ）に定義の通りであり、Ｓ及びＲは、隣接するキラル中心における立体化学を示す）
である、請求項１に記載の化合物又はその塩。
【請求項３】
Ｘが、フェニル又はピリジルである、請求項１又は２に記載の化合物又はその塩。
【請求項４】
Ｘが、フラニル、ピラゾリル、チアゾリル、ピリダジニル、ピラジニル、及びピリミジニルからなる群より選択されるヘテロアリール基である、請求項１又は２に記載の化合物又はその塩。
【請求項５】
Ｘが、イミダゾリル、チアゾリル、オキサジアゾリル、及びチアジアゾリルからなる群より選択されるヘテロアリール基である、請求項１又は２に記載の化合物又はその塩。
【請求項６】
Ｒ１が、イソプロピルである、請求項１〜５のいずれか一項に記載の化合物又はその塩。
【請求項７】
Ｒ２が、メチルである、請求項１〜６のいずれか一項に記載の化合物又はその塩。
【請求項８】
Ｒ３が、メチルである、請求項１〜７のいずれか一項に記載の化合物又はその塩。
【請求項９】
Ｒ４が、式（ｉｉｉ）の基であり、Ｒ４ａが、基Ｌ−Ｙ（式中、Ｌは、単結合、ＣＨ２、又はＣＨ２ＣＨ２であり、Ｙは、基ＮＲ７Ｒ８（式中、Ｒ７及びＲ８は、独立して水素又はＣ１−６アルキルである）である）である、請求項１〜８のいずれか一項に記載の化合物又はその塩。
【請求項１０】
Ｒ４が、式（ｉｉｉ）の基であり、Ｒ４ａが、基Ｌ−Ｙ（式中、Ｌは、単結合、ＣＨ２、又はＣＨ２ＣＨ２であり、Ｙは、基ＮＲ７Ｒ８（式中、Ｒ７及びＲ８は、共に結合して、ピロリジニル、ピペリジニル、ピペラジニル、モルホリニル、アゼピニル、及びジアザピニルからなる群より選択されるヘテロシクリル環を形成し、前記環は、Ｃ１−６アルキル、ＣＯ２Ｃ１−６アルキル、ＮＨ２、又はオキソにより置換されてもよい）である、請求項１〜８のいずれか一項に記載の化合物又はその塩。
【請求項１１】
Ｒ４が、式（ｉｉｉ）の基であり、Ｒ４ａが、基Ｌ−Ｙ（式中、Ｌは、単結合、ＣＨ２、又はＣＨ２ＣＨ２であり、Ｙは、ＣＯ２Ｈ基である）である、請求項１〜８のいずれか一項記載の化合物又はその塩。
【請求項１２】
Ｒ５が、水素である、請求項１〜１１のいずれか一項に記載の化合物又はその塩。
【請求項１３】
Ｒ６が、水素である、請求項１〜１２のいずれか一項に記載の化合物又はその塩。
【請求項１４】
実施例１〜１２３のいずれか１つに記載の化合物又はその塩。
【請求項１５】
請求項１〜１４のいずれか一項に記載の化合物又はその薬学的に許容可能な塩。
【請求項１６】
請求項１５に記載の化合物又はその薬学的に許容可能な塩と、１種以上の薬学的に許容可能な担体、希釈剤、又は賦形剤とを含む、医薬組成物。
【請求項１７】
１種以上の他の治療活性剤と共に、請求項１５に記載の式（Ｉ）の化合物又はその薬学的に許容可能な塩を含む、組合せ医薬製剤。
【請求項１８】
療法で使用するための請求項１５に記載の化合物又はその薬学的に許容可能な塩。
【請求項１９】
ブロモドメイン阻害剤が適応される疾患又は病態の治療において使用するための請求項１５に記載の化合物又はその薬学的に許容可能な塩。
【請求項２０】
前記疾患又は病態が、慢性の自己免疫及び／又は炎症性病態である、請求項１９に記載の化合物又はその薬学的に許容可能な塩。
【請求項２１】
前記疾患又は病態が、癌である、請求項１９に記載の化合物又はその薬学的に許容可能な塩。
【請求項２２】
ブロモドメイン阻害剤が適応される疾患又は病態を治療するための薬剤の製造における請求項１５に記載の化合物又はその薬学的に許容可能な塩の使用。
【手続補正書】
【提出日】平成25年11月1日(2013.11.1)
【手続補正１】
【補正対象書類名】明細書
【補正対象項目名】００７９
【補正方法】変更
【補正の内容】
【００７９】
支持体の材料または複合材料は、その片面または両面について、付着防止処理、帯電防止処理、撥水処理または親水化処理が施されていてよい。感光性ポリマー層に面する側において、前記変性は、支持体から破壊を伴わずに感光性ポリマー層を取り外せるという目的に役立つ。感光性ポリマー層に面していない支持体面の変性は、例えばロール貼合せ（特にロール−ツー−ロール法）における加工の際に必要とされる、特定の力学的要求を本発明の媒体が満たすことを確実にするのに役立つ。
本発明の好ましい態様は、以下を包含する。
〔１〕Ｒ１およびＲ２が、互いに独立して、置換フェニル基、置換ナフチル基および／または未置換ナフチル基であることを特徴とする、一般式（Ｉ）または（ＩＩ）：
〔化１〕
2013510116.tif 000001
で示されるメタクリレート、或いはそれらの混合物。
〔２〕Ｒ１および／またはＲ２が、６〜２４個の炭素原子、０〜５個のイオウ原子、および０〜５個のハロゲン原子を含んでなることを特徴とする、上記〔１〕に記載のメタクリレート。
〔３〕Ｒ１および／またはＲ２が、チオエーテル基、フェニル基および／またはハロゲン原子によって置換されていることを特徴とする、上記〔１〕または〔２〕に記載のメタクリレート。
〔４〕Ｒ１および／またはＲ２が、ナフチル、３−メチルチオフェニル、２−ビフェニル、３−ビフェニルまたは４−ビフェニル、２−ブロモフェニルであることを特徴とする、上記〔１〕〜〔３〕のいずれかに記載のメタクリレート。
〔５〕芳香族酸Ｒ２−ＣＯＯＨをグリシジルメタクリレートと反応させ、次いで、その生成物を芳香族イソシアネートＲ１−ＮＣＯと反応させることを特徴とする、上記〔１〕に記載のメタクリレートの製造方法。
〔６〕マトリックスポリマー、書込モノマーおよび光開始剤を含んでなる感光性ポリマー組成物であって、書込モノマーが上記〔１〕〜〔４〕のいずれかに記載のメタクリレートを含んでなることを特徴とする、感光性ポリマー組成物。
〔７〕マトリックスポリマーがポリウレタンであることを特徴とする、上記〔６〕に記載の感光性ポリマー組成物。
〔８〕光開始剤が、アニオン染料、カチオン染料または中性染料、および共開始剤を含んでなることを特徴とする、上記〔６〕または〔７〕に記載の感光性ポリマー組成物。
〔９〕感光性ポリマー組成物が可塑剤としてのウレタンを更に含有し、ウレタンが特に少なくとも１個のフッ素原子で置換されていてよいことを特徴とする、上記〔６〕〜〔８〕のいずれかに記載の感光性ポリマー組成物。
〔１０〕ウレタンが、一般式（ＩＩＩ）：
〔化２〕
2013510116.tif 000002
［式中、ｎは１以上８以下であり、Ｒ３、Ｒ４、Ｒ５は、水素、および／または互いに独立して未置換のまたは場合によりヘテロ原子で置換されていてもよい直鎖、分岐、環式または複素環式の有機基であり、好ましくは基Ｒ３、Ｒ４、Ｒ５の少なくとも１つは少なくとも１個のフッ素原子で置換されており、特に好ましくはＲ３は少なくとも１個のフッ素原子を有する有機基である］
で示されることを特徴とする、上記〔９〕に記載の感光性ポリマー組成物。
〔１１〕書込モノマーが多官能性書込モノマーを更に含んでなり、多官能性書込モノマーが特に多官能性アクリレートであってよいことを特徴とする、上記〔５〕〜〔１０〕のいずれかに記載の感光性ポリマー組成物。
〔１２〕多官能性アクリレートが、一般式（ＩＶ）：
〔化３〕
2013510116.tif 000003
［式中、ｎは２以上４以下であり、Ｒ６、Ｒ７は、水素、および／または互いに独立して未置換のまたは場合によりヘテロ原子で置換されていてもよい直鎖、分岐、環式または複素環式の有機基である］
で示されることを特徴とする、上記〔１１〕に記載の感光性ポリマー組成物。
〔１３〕ホログラフィック媒体を製造するための、特に、インラインホログラム、オフアクシスホログラム、全開口トランスファーホログラム、白色光透過型ホログラム、デニシュークホログラム、オフアクシス反射型ホログラム、エッジリットホログラムおよびホログラフィックステレオグラムを製造するための、上記〔６〕〜〔１２〕のいずれかに記載の感光性ポリマー組成物の使用。
【手続補正２】
【補正対象書類名】特許請求の範囲
【補正対象項目名】全文
【補正方法】変更
【補正の内容】
【特許請求の範囲】
【請求項１】
Ｒ１およびＲ２が、互いに独立して、置換フェニル基、置換ナフチル基および／または未置換ナフチル基であることを特徴とする、一般式（Ｉ）または（ＩＩ）：
【化１】
2013510116.tif 000004
で示されるメタクリレート、或いはそれらの混合物。
【請求項２】
芳香族酸Ｒ２−ＣＯＯＨをグリシジルメタクリレートと反応させ、次いで、その生成物を芳香族イソシアネートＲ１−ＮＣＯと反応させることを特徴とする、請求項１に記載のメタクリレートの製造方法。
【請求項３】
マトリックスポリマー、書込モノマーおよび光開始剤を含んでなる感光性ポリマー組成物であって、書込モノマーが請求項１または２に記載のメタクリレートを含んでなることを特徴とする、感光性ポリマー組成物。
【請求項４】
ホログラフィック媒体を製造するための、特に、インラインホログラム、オフアクシスホログラム、全開口トランスファーホログラム、白色光透過型ホログラム、デニシュークホログラム、オフアクシス反射型ホログラム、エッジリットホログラムおよびホログラフィックステレオグラムを製造するための、請求項３に記載の感光性ポリマー組成物の使用。
【手続補正書】
【提出日】平成25年11月11日(2013.11.11)
【手続補正１】
【補正対象書類名】特許請求の範囲
【補正対象項目名】全文
【補正方法】変更
【補正の内容】
【特許請求の範囲】
【請求項１】
下記式(I)の化合物又は医薬的に許容され得る塩又はそのプロドラッグ。
2013510183.tif 000001
(I)
式中:
- Tは、単結合又は二重結合であり;
- R1は、COOR7、CONR7R8、COSR7、COR7、SO3H、SO2NR7R8、SO2R7、SONR7R8、及びSOR7からなる群より選ばれ;
- R2、R3及びR4は、各々独立して、H、必要により置換されていてもよいC1-C12アルキル、及び必要により置換されていてもよいC2-C12アルケニルからなる群より選ばれ;
- R5及びR6は、各々独立して、H、OH、必要により置換されていてもよいC1-C12アルキル、=O (R5及び/又はR6は、これらが結合している炭素原子に結合した水素と一緒になって=O部分で置き換えられる)、(CH2)mOC(O)R9、C1-C12オキシアルキル、C1-C12アルキルオキシ、C2-C12オキシアルケニル、及びC2-C12アルケニルオキシからなる群より選ばれるが、R5及びR6の少なくとも1つは(CH2)mOC(O)R9であり、R5がメチルでありかつR6がOC(O)R9である場合、R9はCH3ではなく;
- R7及びR8は、各々独立して、H、必要により置換されていてもよいC1-C12アルキル、必要により置換されていてもよいC2-C12アルケニル、必要により置換されていてもよいC2-C12アルキニル、必要により置換されていてもよいC1-C10ヘテロアルキル、必要により置換されていてもよいC3-C12シクロアルキル、必要により置換されていてもよいC3-C12シクロアルケニル、必要により置換されていてもよいC1-C12ヘテロシクロアルキル、必要により置換されていてもよいC1-C12ヘテロシクロアルケニル、必要により置換されていてもよいC6-C18アリール、及び必要により置換されていてもよいC1-C18ヘテロアリールからなる群より選ばれ;
- R9は、必要により置換されていてもよいC1-C12アルキル、必要により置換されていてもよいC2-C12アルケニル、必要により置換されていてもよいC2-C12アルキニル、必要により置換されていてもよいC1-C10ヘテロアルキル、必要により置換されていてもよいC3-C12シクロアルキル、必要により置換されていてもよいC3-C12シクロアルケニル、必要により置換されていてもよいC1-C12ヘテロシクロアルキル、必要により置換されていてもよいC1-C12ヘテロシクロアルケニル、必要により置換されていてもよいC6-C18アリール、及び必要により置換されていてもよいC1-C18ヘテロアリールからなる群より選ばれ;
- Arは、必要により置換されていてもよいアリール基であり;
- m及びnは、各々が0、1、2、3、及び4からなる群より選ばれる整数であり、
ただし、エント-１７-アセトキシ−１５，１６−エポキシ−１９−ヒドロキシ−３，１３（１６），１４−クレロダトリエン−１８−オイック酸を除く。
【請求項２】
R9が、フェニルである、請求項１に記載の化合物。
【請求項３】
R5及びR6の1つだけが、(CH2)mOC(O)R9である、請求項１又は２のいずれか1項に記載の化合物。
【請求項４】
Arが、フランである、請求項１に記載の化合物。
【請求項５】
R5が、(CH2)mOC(O)R9であり、R6が、H及びOHからなる群より選ばれる、請求項１〜４のいずれか1項に記載の化合物。
【請求項６】
R6が、(CH2)mOC(O)R9であり、R5が、必要により置換されていてもよいC1-C12アルキルである、請求項１〜５のいずれか1項に記載の化合物。
【請求項７】
下記からなる群より選ばれる化合物。
2013510183.tif 000002
2013510183.tif 000003
【請求項８】
請求項１〜７のいずれか1項に記載の化合物を含む抗炎症抽出物であって、前記抽出物が、ドドナエア・ポリアンドラ種の植物に由来することを特徴とする組成物。
【請求項９】
請求項１〜７のいずれか１項に記載の化合物及び医薬的に許容できる担体を含むことを特徴とする組成物。
【請求項１０】
請求項８に記載の抗炎症抽出物及び医薬的又は化粧的に許容し得る担体を含むことを特徴とする組成物。
【請求項１１】
患者における炎症を治療又は予防するための、請求項９に記載の組成物。
【請求項１２】
炎症により又は炎症に関連する疾患又は状態を治療するための請求項１０に記載の組成物。
【請求項１３】
炎症の治療又は予防のための薬剤の調製における、請求項１〜７のいずかに記載の化合物又は請求項８に記載の抽出物の使用。
【手続補正書】
【提出日】平成25年11月1日(2013.11.1)
【手続補正１】
【補正対象書類名】明細書
【補正対象項目名】０１０５
【補正方法】変更
【補正の内容】
【０１０５】
αおよびγ値は、イソシアネートを含めて計算した。全ショット重量は、１２０グラムであった。得られたフォームは、走査型電子顕微鏡により調査した。図８および９は、異なった目盛りでの走査型電子顕微鏡写真を示す。１μｍより著しく小さい直径の細孔が、得られたフォームに形成されていることが見られる。平均細孔半径は、１８０±５９ｎｍである。細孔の平均数値的密度は、３．６・１０１１であった。任意の理論に従うことなく、フォーム中の気泡は、Ｏｓｔｗａｌｄの結果として元のマイクロエマルション中の気泡より重合工程中に熟成しながら大きくなったと考えられる。
本発明の好ましい態様は、以下を包含する。
［１］  ポリウレタンフォームの製造方法であって、以下の工程：
・Ａ）イソシアネート反応性成分、
Ｂ）界面活性剤成分、
Ｃ）直鎖、分枝状または環式Ｃ１〜Ｃ６−アルキレン、直鎖状、分枝状または環式Ｃ１〜Ｃ６−フルオロアルカン、Ｎ２、Ｏ２、アルゴンおよび／またはＣＯ２からなる群から選択される発泡剤成分、
Ｄ）ポリイソシアネート成分
を含む混合物を供給する工程、
・成分Ａ）、Ｂ）、Ｃ）およびＤ）を含む混合物を、密閉金型へ導入する工程であって、該密閉金型は、内部容積および／または内部において広まる圧力を、混合物を導入した後に外的影響により変化させることができるように構成されている、工程、
・予め決定した≧０秒の滞留時間を、成分Ａ）、Ｂ）、Ｃ）およびＤ）を含む混合物について密閉金型において与える工程、および
・密閉金型の内部容積を拡大し、および／または密閉金型の内部に広まる圧力を外的影響により低下させる工程
を含む、方法。
［２］  成分Ａ）、Ｂ）、Ｃ）およびＤ）を含む混合物の滞留時間の間に発泡剤Ｃ）を、超臨界または近臨界状態で存在させ、密閉金型の内部容積の拡大および／または密閉金型の内部にかかっている圧力の低下後、発泡剤Ｃ）は、超臨界状態で存在しない、［１］に記載の方法。
［３］  成分Ａ）、Ｂ）、Ｃ）およびＤ）の混合後に広まる圧力は、≧４０バール〜≦１５０バールである、［１］に記載の方法。
［４］  成分Ａ）は、≧２００ｍｇＫＯＨ／ｇ〜≦６００ｍｇＫＯＨ／ｇのヒドロキシ価を有するポリエステルポリオールおよび≧８００ｍｇＫＯＨ／ｇのヒドロキシ価を有する短鎖ポリオールを含む、［１］に記載の方法。
［５］  界面活性剤成分Ｂ）は、オリゴジメチルシロキサン末端基を有するポリエチレンオキシドポリエーテルであり、ジメチルシロキサン単位の数は≦５である、［１］に記載の方法。
［６］  界面活性剤成分のＨＬＢ値は、≧１０〜≦１８である、［１］に記載の方法。
［７］  界面活性剤成分Ｂ）は、イソシアネート反応性化合物またはポリイソシアネートへ共有結合した形態で存在する、［１］に記載の方法。
［８］  ポリイソシアネート成分Ｄ）は、モノマーおよび／またはポリマージフェニルメタン４，４’−ジイソシアネートを含む、［１］に記載の方法。
［９］  界面活性剤成分Ｂ）の重量％による相対的比率γは、成分Ａ）、Ｂ）およびＣ）を含む混合物中において、組成物全体を基準として≧０．０５〜≦０．３である、［１］に記載の方法。
［１０］  成分Ａ）、Ｂ）、Ｃ）およびＤ）の存在する量は、
Ａ）≧２５重量％〜≦３０重量％、
Ｂ）≧４重量％〜≦１５重量％、
Ｃ）≧５重量％〜≦４０重量％、
Ｄ）≧３０重量％〜≦６０重量％
である、［１］に記載の方法。
［１１］  成分Ａ）、Ｂ）、Ｃ）およびＤ）を含む混合物を導入した密閉金型は、混合物に適合させるために、可動性封止（４０、７０）により制限された内部容積を含み、可動性封止（４０、７０）の位置は、機械圧力によりおよび／または液体圧力により変化することができる、［１］に記載の方法。
［１２］  ［１］に記載の方法により得られるポリウレタンフォーム。
［１３］  ≧１０ｎｍ〜≦１００００ｎｍの平均細孔径を有するフォームの形態で存在する、［１２］に記載のポリウレタンフォーム。
［１４］  ≧１０７ポア／ｃｍ３〜≦１０１８ポア／ｃｍ３の細孔密度を有する、［１２］に記載のポリウレタンフォーム。
［１５］  ≧６ｍＷ／ｍＫ〜≦３０ｍＷ／ｍＫの熱伝導性を有する、［１２］に記載のポリウレタンフォーム。
【手続補正２】
【補正対象書類名】特許請求の範囲
【補正対象項目名】全文
【補正方法】変更
【補正の内容】
【特許請求の範囲】
【請求項１】
ポリウレタンフォームの製造方法であって、以下の工程：
・Ａ）イソシアネート反応性成分、
Ｂ）界面活性剤成分、
Ｃ）直鎖、分枝状または環式Ｃ１〜Ｃ６−アルキレン、直鎖状、分枝状または環式Ｃ１〜Ｃ６−フルオロアルカン、Ｎ２、Ｏ２、アルゴンおよび／またはＣＯ２からなる群から選択される発泡剤成分、
Ｄ）ポリイソシアネート成分
を含む混合物を供給する工程、
・成分Ａ）、Ｂ）、Ｃ）およびＤ）を含む混合物を、密閉金型へ導入する工程であって、該密閉金型は、内部容積および／または内部において広まる圧力を、混合物を導入した後に外的影響により変化させることができるように構成されている、工程、
・予め決定した≧０秒の滞留時間を、成分Ａ）、Ｂ）、Ｃ）およびＤ）を含む混合物について密閉金型において与える工程、および
・密閉金型の内部容積を拡大し、および／または密閉金型の内部に広まる圧力を外的影響により低下させる工程
を含む、方法。
【請求項２】
請求項１に記載の方法により得られるポリウレタンフォーム。
【手続補正書】
【提出日】平成25年11月1日(2013.11.1)
【手続補正１】
【補正対象書類名】明細書
【補正対象項目名】００８３
【補正方法】変更
【補正の内容】
【００８３】
最後に、本発明はまた、一般式（ＩＩＩ）：
【化１】
2013510203.tif 000001
［式中、ｍは１以上８以下であり、Ｒ４、Ｒ５、Ｒ６は、水素、および／または互いに独立して未置換のまたは場合によりヘテロ原子で置換されていてもよい、イミノオキサジアジンジオン構成要素および／またはオキサジアザジオン構成要素を有する直鎖、分岐、環式または複素環式の有機基であると同時に、基Ｒ４、Ｒ５、Ｒ６の少なくとも２つは少なくとも１個のフッ素原子で置換されている］
で示されるフルオロウレタンに関する。
本発明の好ましい態様は、以下を包含する。
〔１〕マトリックスポリマー、書込モノマーおよび光開始剤を含んでなる感光性ポリマー組成物であって、可塑剤としてのフルオロウレタンを含んでなることを特徴とする組成物。
〔２〕フルオロウレタンが、一般式（Ｉ）：
〔化１〕
2013510203.tif 000002
で示される構成要素を少なくとも１つ有しており、少なくとも１個のフッ素原子で置換されていることを特徴とする、上記〔１〕に記載の感光性ポリマー組成物。
〔３〕フルオロウレタンが、一般式（ＩＩ）：
〔化２〕
2013510203.tif 000003
［式中、ｎは１以上８以下であり、Ｒ１、Ｒ２、Ｒ３は、水素、および／または互いに独立して未置換のまたは場合によりヘテロ原子で置換されていてもよい直鎖、分岐、環式または複素環式の有機基であり、基Ｒ１、Ｒ２、Ｒ３の少なくとも１つは少なくとも１個のフッ素原子で置換されている］
で示されることを特徴とする、上記〔１〕または〔２〕に記載の感光性ポリマー組成物。
〔４〕Ｒ１が、少なくとも１個のフッ素原子を有する有機基であることを特徴とする、上記〔３〕に記載の感光性ポリマー組成物。
〔５〕Ｒ１が、１〜２０個のＣＦ２基および／または１個以上のＣＦ３基、より好ましくは１〜１５個のＣＦ２基および／または１個以上のＣＦ３基、特に好ましくは１〜１０個のＣＦ２基および／または１個以上のＣＦ３基、とりわけ好ましくは１〜８個のＣＦ２基および／または１個以上のＣＦ３基を含んでなり、Ｒ２が、Ｃ１〜Ｃ２０アルキル基、好ましくはＣ１〜Ｃ１５アルキル基、特に好ましくはＣ１〜Ｃ１０アルキル基、または水素を含んでなり、および／またはＲ３が、Ｃ１〜Ｃ２０アルキル基、好ましくはＣ１〜Ｃ１５アルキル基、特に好ましくはＣ１〜Ｃ１０アルキル基、または水素を含んでなることを特徴とする、上記〔３〕に記載の感光性ポリマー組成物。
〔６〕フルオロウレタンが、ウレトジオン構成要素、イソシアヌレート構成要素、ビウレット構成要素、アロファネート構成要素、ポリウレア構成要素、オキサジアザジオン構成要素および／またはイミノオキサジアジンジオン構成要素および／またはこれら構成要素の混合物を有することを特徴とする、上記〔１〕〜〔５〕のいずれかに記載の感光性ポリマー組成物。
〔７〕フルオロウレタンが、１．４６００以下、好ましくは１．４５００以下、特に好ましくは１．４４００以下、とりわけ好ましくは１．４３００以下の屈折率ｎＤ２０を有することを特徴とする、上記〔１〕〜〔５〕のいずれかに記載の感光性ポリマー組成物。
〔８〕フルオロウレタンが、１０〜８０重量％、好ましくは１２．５〜７５重量％、特に好ましくは１５〜７０重量％、とりわけ好ましくは１７．５〜６５重量％のフッ素含量を有することを特徴とする、上記〔１〕〜〔７〕のいずれかに記載の感光性ポリマー組成物。
〔９〕マトリックスポリマーがポリウレタンであることを特徴とする、上記〔１〕〜〔８〕のいずれかに記載の感光性ポリマー組成物。
〔１０〕書込モノマーが、アクリレート、好ましくは１．５０超の屈折率ｎＤ２０を有するアクリレート、より好ましくはウレタンアクリレート、特に好ましくは芳香族ウレタンアクリレート、好ましくは１．５０超の屈折率ｎＤ２０を有する、ウレタンアクリレート、特に芳香族ウレタンアクリレートであることを特徴とする、上記〔１〕〜〔９〕のいずれかに記載の感光性ポリマー組成物。
〔１１〕感光性ポリマー組成物が、１５〜７９重量％、好ましくは３０〜６０重量％のマトリックスポリマー、５〜５０重量％、好ましくは１０〜４０重量％の書込モノマー、１〜１０重量％、好ましくは１〜３重量％の光開始剤、５〜５０重量％、好ましくは１０〜４０重量％のフルオロウレタン、および０〜１０重量％の別の添加剤を含有し、これら成分の和が１００重量％となることを特徴とする、上記〔１〕〜〔１０〕のいずれかに記載の感光性ポリマー組成物。
〔１２〕光学素子の製造のための、特にホログラフィック素子およびホログラフィー像の製造のための、上記〔１〕〜〔１１〕のいずれかに記載の感光性ポリマー組成物の使用。
〔１３〕書込モノマーを電磁線によって空間的分離を伴って選択的に重合させる、上記〔１〕〜〔１１〕のいずれかに記載の感光性ポリマー組成物を含んでなるホログラフィック媒体の露光方法。
〔１４〕イミノオキサジアジンジオンまたはオキサジアザジオンを含有し、少なくとも１個の遊離イソシアネート基を有するポリイソシアネートと、アルコールとを反応させることにより得ることができるフルオロウレタンであって、ポリイソシアネートおよび／またはアルコールが少なくとも１個のフッ素原子で置換されている、フルオロウレタン。
〔１５〕一般式（ＩＩＩ）：
〔化３〕
2013510203.tif 000004
［式中、ｍは１以上８以下であり、Ｒ４、Ｒ５、Ｒ６は、水素、および／または互いに独立して未置換のまたは場合によりヘテロ原子で置換されていてもよい、イミノオキサジアジンジオン構成要素および／またはオキサジアザジオン構成要素を有する直鎖、分岐、環式または複素環式の有機基であると同時に、基Ｒ４、Ｒ５、Ｒ６の少なくとも２つは少なくとも１個のフッ素原子で置換されている］
で示されるフルオロウレタン。
【手続補正２】
【補正対象書類名】特許請求の範囲
【補正対象項目名】全文
【補正方法】変更
【補正の内容】
【特許請求の範囲】
【請求項１】
マトリックスポリマー、書込モノマーおよび光開始剤を含んでなる感光性ポリマー組成物であって、可塑剤としてのフルオロウレタンを含んでなることを特徴とする組成物。
【請求項２】
書込モノマーを電磁線によって空間的分離を伴って選択的に重合させる、請求項１に記載の感光性ポリマー組成物を含んでなるホログラフィック媒体の露光方法。
【手続補正書】
【提出日】平成25年11月1日(2013.11.1)
【手続補正１】
【補正対象書類名】明細書
【補正対象項目名】０１０４
【補正方法】変更
【補正の内容】
【０１０４】
αおよびγ値は、イソシアネートを含めて計算した。全ショット重量は、１２０グラムであった。得られたフォームは、走査型電子顕微鏡により調査した。図３および４は、異なった目盛りでの走査型電子顕微鏡写真を示す。１００ｍより著しく小さい直径の細孔は、得られたフォームの隙間（これは球状形状において２つの大きい円により区切られた点の設定を参照する用語である）に形成されていることが見られる。平均細孔半径は、１５±６．８ｎｍである。細孔の平均数値的密度は、４．７・１０１４であった。
本発明の好ましい態様は、以下を包含する。
［１］  ポリウレタンフォームの製造方法であって、以下の工程：
・混合物を、混合ヘッド中で供給する工程であって、該混合物が
Ａ）イソシアネートに対して反応性である成分、
Ｂ）界面活性剤成分、
Ｃ）直鎖、分枝状または環式Ｃ１〜Ｃ６−アルキレン、直鎖状、分枝状または環式Ｃ１〜Ｃ６−フルオロアルカン、Ｎ２、Ｏ２、アルゴンおよび／またはＣＯ２からなる群から選択される発泡剤成分、
Ｄ）ポリイソシアネート成分
を含む工程、
・成分Ａ）、Ｂ）、Ｃ）およびＤ）を含む混合物を、混合ヘッドから取り出し、混合物の取り出し中に、混合物中にかかっている圧力を、大気圧へ低下させる工程
を含む、方法。
［２］  成分Ａ）、Ｂ）、Ｃ）およびＤ）の混合後にかかっている圧力は、≧４０バール〜≦１５０バールである、［１］に記載の方法。
［３］  手段を、成分Ａ）、Ｂ）、Ｃ）およびＤ）を含む混合物の取り出し中に流れ耐性を向上させるために、混合ヘッド中に配置する、［１］に記載の方法。
［４］  成分Ａ）は、≧２００ｍｇＫＯＨ／ｇ〜≦６００ｍｇＫＯＨ／ｇのヒドロキシ価を有するポリエステルポリオールおよび≧８００ｍｇＫＯＨ／ｇのヒドロキシ価を有する短鎖ポリオールを含む、［１］に記載の方法。
［５］  界面活性剤成分Ｂ）は、オリゴジメチルシロキサン末端基を有するポリエチレンオキシドポリエーテルであり、ジメチルシロキサン単位の数は≦５である、［１］に記載の方法。
［６］  界面活性剤成分のＨＬＢ値は、≧１０〜≦１８である、［１］に記載の方法。
［７］  界面活性剤成分Ｂ）は、イソシアネート反応性化合物またはポリイソシアネートへ共有結合した形態で存在する、［１］に記載の方法。
［８］  ポリイソシアネート成分Ｄ）は、モノマーおよび／またはポリマージフェニルメタン４，４’−ジイソシアネートを含む、［１］に記載の方法。
［９］  界面活性剤成分Ｂ）の重量％による相対的比率γは、成分Ａ）、Ｂ）およびＣ）を含む混合物中において、組成物全体を基準として≧０．０５〜≦０．３である、［１］に記載の方法。
［１０］  成分Ａ）、Ｂ）、Ｃ）およびＤ）の存在する量は、
Ａ）≧２５重量％〜≦３５重量％、
Ｂ）≧４重量％〜≦１５重量％、
Ｃ）≧５重量％〜≦４０重量％、
Ｄ）≧３０重量％〜≦６０重量％
である、［１］に記載の方法。
［１１］  ［１］に記載の方法により得られるポリウレタンフォーム。
［１２］  ≧１０ｎｍ〜≦１００００ｎｍの平均細孔径を有するフォームの形態で存在する、［１１］に記載のポリウレタンフォーム。
［１３］  ２峰性気泡寸法分布を有し、気泡寸法分布の１つの最大が≧１０ｎｍ〜≦５００ｎｍの範囲であり、他の気泡寸法分布の最大が≧１μｍ〜≦５００μｍの範囲である、［１２］に記載のポリウレタンフォーム。
［１４］  ≧１０９ポア／ｃｍ３〜≦１０１８ポア／ｃｍ３の細孔密度を有する、［１２］に記載のポリウレタンフォーム。
［１５］  ≧６ｍＷ／ｍＫ〜≦３０ｍＷ／ｍＫの熱伝導性を有する、［１２］に記載のポリウレタンフォーム。
【手続補正２】
【補正対象書類名】特許請求の範囲
【補正対象項目名】全文
【補正方法】変更
【補正の内容】
【特許請求の範囲】
【請求項１】
ポリウレタンフォームの製造方法であって、以下の工程：
・混合物を、混合ヘッド中で供給する工程であって、該混合物が
Ａ）イソシアネートに対して反応性である成分、
Ｂ）界面活性剤成分、
Ｃ）直鎖、分枝状または環式Ｃ１〜Ｃ６−アルキレン、直鎖状、分枝状または環式Ｃ１〜Ｃ６−フルオロアルカン、Ｎ２、Ｏ２、アルゴンおよび／またはＣＯ２からなる群から選択される発泡剤成分、
Ｄ）ポリイソシアネート成分
を含む工程、
・成分Ａ）、Ｂ）、Ｃ）およびＤ）を含む混合物を、混合ヘッドから取り出し、混合物の取り出し中に、混合物中にかかっている圧力を、大気圧へ低下させる工程
を含む、方法。
【請求項２】
請求項１に記載の方法により得られるポリウレタンフォーム。
【請求項３】
≧１０ｎｍ〜≦１００００ｎｍの平均細孔径を有するフォームの形態で存在する、請求項２に記載のポリウレタンフォーム。